(57)【要約】【課題】簡単な構造のカット刃で皮膚を傷つけることなく耳や鼻内の毛を切断し、かつ、耳や鼻内を清潔に保つ毛のカット具を提供する。【解決手段】本発明ヘアーカッターは、中空円筒体に毛の取り入れ溝４を複数形成したカバー１と、このカバー１内に長さ方向にそって収容可能なＶ字形カット刃２と、カバー１の一端に固定可能なホルダー３とからなり、カット刃２はホルダー３の先端面に固定したものである。また、カバー１とホルダー３とは着脱可能であり、更に、カバー１とホルダー３およびカット刃２とホルダー３とは着脱可能となっている。  取り入れ溝４は、円筒体の円周方向に形成するとともに円筒体の長さ方向に複数形成したものであり、また、円筒体の長さ方向にそって形成するとともに円筒体の円周方向に複数形成したものであり、更には、取り入れ溝４は、円筒体の円周方向に形成した多数の孔である。【選択図】図１
2005245749.tif 000002
【特許請求の範囲】
【請求項１】
中空円筒体に毛の取り入れ溝４を複数形成したカバー１と、このカバー１内に長さ方向にそって収容可能なＶ字形カット刃２と、カバー１の一端に固定可能なホルダー３とからなり、カット刃２はホルダー３の先端面に固定したことを特徴とするヘアーカッター。
【請求項２】
中空円筒体に毛の取り入れ溝４を複数形成したカバー１と、このカバー１内に長さ方向にそって収容可能なＶ字形カット刃２と、カバー１の一端に着脱可能なホルダー３とからなり、カット刃２はホルダー３の先端面に固定したことを特徴とするヘアーカッター。
【請求項３】
中空円筒体に毛の取り入れ溝４を複数形成したカバー１と、このカバー１内に長さ方向にそって収容可能なＶ字形カット刃２と、カバー１の一端に着脱可能なホルダー３とからなり、カット刃２はホルダー３の先端面に着脱できるようにしたことを特徴とするヘアーカッター。
【請求項４】
取り入れ溝４は、円筒体の円周方向に形成するとともに円筒体の長さ方向に複数形成したものである請求項１、２および３に記載するヘアーカッター。
【請求項５】
取り入れ溝４は、円筒体の長さ方向にそって形成するとともに円筒体の円周方向に複数形成したものである請求項１、２および３に記載するヘアーカッター。
【請求項６】
取り入れ溝４は、円筒体の円周方向に形成した多数の孔である請求項１、２および３に記載するヘアーカッター。
【発明の詳細な説明】
【技術分野】
【０００１】
本発明はヘアーカッターに関し、特に、耳孔や鼻孔内の毛を切り取るとともに耳や鼻内を綺麗にすることができるヘアーカッターに関するものである。
【背景技術】
【０００２】
耳孔や鼻孔内には毛が生えており、この毛は埃を捕集する効能を有しているので必ずしも無駄なものではない。しかし、長く伸びて外部から見えたり、孔の外に伸び出るのは周りの者に不潔感や不快感を与えるものである。このため定期的にあるいは適当な時期に毛を切り取る必要がある。
【０００３】
鼻毛は、鏡を見ながら小さな鋏を使用して切り取ることができるが、誤って鋏の先端が皮膚に突き刺さり思わぬ怪我をすることがある。また、耳の中は自分で見ることができないので、毛を切り取る場合には他の人に切ってもらう必要がある。しかし、耳の中は狭く、複雑な構造となっているので、鋏を使用して毛を切り取る際、鼓膜や皮膚を傷つける危険性を有していた。
【特許文献１】特開平７−２２２６９４号
【特許文献２】特開平１１−９４９１号
【発明の開示】
【発明が解決しようとする課題】
【０００４】
そこで、従来、特許文献１、２に示すようなカッターが提供されている。このカッターは、毛をカットするための刃を駆動モータによって回転させ、耳や鼻内の毛を切断するものである。
しかし、これらのカッターは種々の部品を使用して複雑な構造であり、高価なものであり、一般家庭で常備するのは不適当、不経済なものである。また、たとえ親子や兄弟が使用したものであっても、刃には切り取った毛や耳垢、鼻くそ等が付着しており、そのまま使用するのは非衛生的である。
【０００５】
そこで本願出願人は、例えば、特願２００４−３０５６５として毛のカット具を提供している。このカット具の基本構成は、複数の毛の取り入れ溝６を有する円筒状プロテクター２内にカット刃１０を収容したものであり、プロテクター２を耳や鼻の中に入れ回転あるいは反転させて毛を切り取るものである。
【０００６】
小型で簡単な構造であるので、取り扱いが容易であり、安価に提供できて使い捨てが可能である利点を有しているが、カット刃１０を取り付けるために保持部材８や連結具９等を必要とするとともにカット刃１０の刃先１１の向きを特定しなければならない。また、一枚ずつのカット刃１０を取り扱うので手を切りやすい等の問題点を有していた。
【０００７】
本発明は、上記する従来のカッターやカット具に鑑み、毛の取り入れ溝を形成した円筒状カバー内においてカット刃の向きを特定することなく回転あるいは反転可能とし、極めて簡単な構造体で耳や鼻の毛を切り取ることができ、皮膚を傷つけることがないヘアーカッターを提供するものである。
【課題を解決するための手段】
【０００８】
上記の目的を達成するために本発明ヘアーカッターは、中空円筒体に毛の取り入れ溝４を複数形成したカバー１と、このカバー１内に長さ方向にそって収容可能なＶ字形カット刃２と、カバー１の一端に固定可能なホルダー３とからなり、カット刃２はホルダー３の先端面に固定したものである。
【０００９】
また、本発明ヘアーカッターは、中空円筒体に毛の取り入れ溝４を複数形成したカバー１と、このカバー１内に長さ方向にそって収容可能なＶ字形カット刃２と、カバー１の一端に着脱可能なホルダー３とからなり、カット刃２はホルダー３の先端面に固定したものである。
【００１０】
更に、本発明ヘアーカッターは、中空円筒体に毛の取り入れ溝４を複数形成したカバー１と、このカバー１内に長さ方向にそって収容可能なＶ字形カット刃２と、カバー１の一端に着脱可能なホルダー３とからなり、カット刃２はホルダー３の先端面に着脱できるようにしたものである。
【００１１】
上記の各構成において、取り入れ溝４は、円筒体の円周方向に形成するとともに円筒体の長さ方向に複数形成したものであり、また、円筒体の長さ方向にそって形成するとともに円筒体の円周方向に複数形成したものであり、更には、取り入れ溝４は、円筒体の円周方向に形成した多数の孔である。
【発明の効果】
【００１２】
本発明ヘアーカッターは、円筒体の円周方向に複数形成した毛の取り入れ溝４を有するカバー１内にＶ字形カット刃２を収容し、カバー１とホルダー３およびカット刃２とホルダー３とを連結したので、カバー１を耳や鼻内に入れて回転させれば、取り入れ溝４からカバー１内に耳毛や鼻毛が入るので、カッター刃２の刃先５で切り取ることができる。
特に、カバー１を回転させた時、耳垢や鼻くそも取るので、耳や鼻内を綺麗にすることができる。
【００１３】
カット刃２は、カバー１の長さ方向にそって配置してあり、刃先５は取り入れ溝４に向いているので、取り入れた毛は必ず切り取ることができ、カット刃２は単体でホルダー３に取り付け可能であるから全体の構成を簡単にすることができる。皮膚はカバー１で保護され、カット刃２の刃先５が皮膚に直接触れないので、皮膚を傷つけることなく毛の切り取りが可能である。しかも、カット刃２は、Ｖ字形に形成してあり、あたかも２枚刃を単体とした形状であるので取り扱いやすく、ホルダー３との連結、固定を容易に行うことができる。
【００１４】
カバー１とホルダー３とを着脱可能としておけば、カット刃２に付着した毛や不純物を取り去ることができ、カバー１内の掃除ができるので清潔に保つことができる。また、カバー１をホルダー３から分離できるようにするとともにカット刃２とホルダー３とを着脱できる構成としておけば、カット刃２の切れ味が悪くなった時、交換が可能であり、カバー１やホルダー３を無駄にすることがない。
【発明を実施するための最良の形態】
【００１５】
以下、図面に従って本発明の実施の形態を詳細に説明する。
図１乃至図３は、本発明ヘアーカッターの第１の実施形態を示すものであり、このヘアーカッターは、中空円筒状のカバー１と、このカバー１内に収容可能なＶ字形カット刃２と、カバー１と連結可能なホルダー３から構成されている。
【００１６】
合成樹脂材あるいはステンレスその他の金属材からなるカバー１は、先端を円形状に形成して閉じるとともに後端を開口して内部を中空状とした円筒体であり、円周方向の片側半面には、円周方向にそって開口する毛の取り入れ溝４を形成し、この取り入れ溝４はカバー１の長さ方向に複数形成してある。
【００１７】
カッター刃２は、長形な金属板を長さ方向にそってＶ字形に折曲するか２枚の長形金属板を長さ方向にそってＶ字形に結合したものであり、両片２ａの長さ方向先端を鋭く尖らせて刃先５を形成したものである。カット刃２の材質としては、従来市販されているカミソリ刃と同じ材質を使用することができる。
【００１８】
合成樹脂材あるいはステンレスその他の金属材からなる中実状のホルダー３は、先端をカバー１内に嵌め込み、例えば、接着剤を使用して簡単に外れないように固定してあり、カバー１とホルダー３は一体なものとなっている。そして、ホルダー３の先端面には、ホルダー３の延長方向にカッター刃２が固定してある。このためは、ホルダー３の先端面とカッター刃２の片側端面とを、例えば、接着剤を使用して固定すればよい。カバー１とホルダー３とを連結することでカッター刃２はカバー１内に収容されることになるが、カバー１内においてカッター刃２の刃先５は取り入れ溝４に向けてある。
【００１９】
図１に示すヘアーカッターの大きさは、全長が５０〜７０ｍｍ、各取り入れ溝４を合わせた間隔長さＬは１５〜２０ｍｍ、カバー１の外径は１０〜１２ｍｍ、カバー１の板厚は１．５〜２ｍｍ位が望ましい。しかし、この大きさに限定するものではなく、カバー１部分を耳や鼻内に差し込んで回転させることができる大きさを選択すればよい。また、各取り入れ溝４の幅間隔は、毛が入り得る隙間があればよく、その幅間隔や数は長さＬに応じて選べばよい。
【００２０】
本発明ヘアーカッターは上記の構成であり、ホルダー３を指で持ち、カバー２部分を耳や鼻内に入れて回転あるいは反転させれば、耳毛や鼻毛は取り入れ溝４からカバー１内に入り、カッター刃２の刃先５で切り取ることができる。Ｖ字状に形成したカッター刃２の刃先５は取り入れ溝４に向いているので、一方向に回転させるだけではなく、反転させて毛を切り取ることが可能である。
【００２１】
カッター刃２の刃先５は、取り入れ溝４に向けておけば毛を切り取ることができる。即ち、図３に実線に示す位置の他に１点鎖線や２点鎖線で示すように刃先５は取り入れ溝４に向いていればよく、傾斜角度や方向性を問うものではない。
【００２２】
尚、カッター刃２はホルダー３の先端面に接着剤を使用して固定した場合を説明したが、これに限定するものではない。例えば、ホルダー３の先端面にカッター刃２が密に入り得るＶ字状の嵌め込み溝（図示せず）を形成し、カッター刃２をＶ字状嵌め込み溝内に嵌め入れて固定してもよい。また、カバー１の先端は閉じた状態が示してあるが、円筒体のまま開口してもよい。
【００２３】
上記の実施形態はカバー１とホルダー３とを固定した場合である。本発明の第２の実施形態は、カバー１とホルダー３とを着脱可能としたものであり、前記の実施形態と同じ部分は同じ符号を使用している。
【００２４】
図４は、第２実施形態の一例を示し、カバー１とホルダー３とをネジ６で着脱可能としたことに特徴を有している。即ち、カバー１とホルダー２との連結部分にネジ６をネジ込んで連結したものである。このような構成としたことにより、毛を切り取った後、ネジ６を抜き取ってカバー１をホルダー３から取り外すことによりカッター刃２に付着する切り取った毛や耳垢、鼻くそ等を取り除き、また、カバー１内を掃除することができる。
【００２５】
図５は、第２実施形態の他の例を示し、カバー１とホルダー３とを掛止部材７で着脱可能としたことに特徴を有している。このため、例えば、ホルダー３の外周面に環状に掛止突起８を形成し、カバー１の内周面には掛止突起８が嵌り得る嵌合溝９を形成したものである。
【００２６】
このような構成としたことにより、カバー１内にホルダー３を嵌め入れれば嵌合溝９内に掛止突起８が入り、抜けることがない。逆に、ホルダー３を持ってカバー１を引き抜けば、両者を分離することができ、カット刃２やカバー１内部の掃除が可能となる。
尚、カバー１の内周面に掛止突起８を形成し、ホルダー３の外周面に嵌合溝９を形成しても同じ結果が得られる。
【００２７】
この実施形態ではホルダー３の外周面に掛止突起８を形成した場合であるが、これに限定するものではない。掛止突起８に変え、ホルダー３の外周面に環状の溝を形成し、この溝内にゴム製のリングを密に巻き回し、カバー１を嵌め込んだ時、リングの弾性作用でカバー１を固定してもよく、カバー１を引くことによりホルダー３から取り外すことができる。
【００２８】
結局、Ｖ字形カット刃２をカバー１内に収容し、毛を切り取った後、内部の掃除が可能なようにカバー１とホルダー３とを結合、分離可能であればカバー１とホルダー３との着脱構造は問うものではない。
【００２９】
第２の実施形態ではカバー１とホルダー３とを着脱できるようにしたが、第３の実施形態は、カバー１とホルダー３とを着脱可能にするとともにカット刃２とホルダー３とを着脱できるようにしたことに特徴を有している。
【００３０】
前記したようにネジ６を使用してカバー１とホルダー３とを連結、固定する場合、このネジ６をカット刃２の固定に使用可能である。例えば、図６に示すように、カット刃２の一端に丸棒状の連結棒１０を長さ方向に突設しておく。この場合、カット刃２の一端に連結板１１を固定しておき、この連結板１１に連結棒１０を突設すればよい。
そして、図７に示すように、連結棒１０をホルダー３の先端面に形成した嵌合孔１２内に嵌め入れ、前記したネジ６をネジ込み、ネジ６の先端を連結棒１０の側面に押し当てればカバー１とホルダー３およびカット刃２とホルダー３とが固定状態となり、更に、分離可能となる。
【００３１】
尚、連結棒１０は丸棒体に限定するものではない。例えば、連結棒１０を断面三角形や四角形のような多角形体とし、ホルダー３には多角形体の連結棒１０が嵌り得る嵌合孔１２を形成しておけば、ネジ６を使用することなくカット刃２とホルダー３とを分離可能に連結することができる。従って、前記したようにＶ字形カット刃２をそのままホルダー３に嵌め込んでも同様の効果が得られる。
【００３２】
更には、連結棒１０に変えて連結板１１にネジあるいはボルトを突設し、ホルダー３の先端面からネジ込んで取り付けるようにしてもよく、カット刃２とホルダー３とを着脱することができる。
【００３３】
前記の各実施形態において、毛の取り入れ溝４はカバー１の円周方向に形成し、しかも円周片側半面に形成した場合であるが、図８に示すように、カバー１の長さ方向にそって２〜４箇所に設けた連結片１３を介してカバー１の円周方向全面に取り入れ溝４を形成してもよい。
【００３４】
また、取り入れ溝４は、図９に示すように、カバー１にそって長い取り入れ溝４を円周方向に形成してもよい。更には、図１０に示すように、多数の方形あるいは円形の孔を円周方向に形成し、この孔を取り入れ溝４としてもよい。孔の形状や数等は任意に選ぶことができる。このように取り入れ溝４をカバー１の全周面に形成した場合、カット刃２の刃先５はいずれの方向を向いても毛を切り取ることができる。図９、図１０に示す取り入れ溝４は、円筒体の全周に設けてもよく、あるいは円周片側面にのみ設けてもよい。
【産業上の利用可能性】
【００３５】
本発明ヘアーカッターは、身体の衛生に関係するものであるから、医療器具メーカーや衛生器材メーカー等が生産可能である。消費材であるので、大量に生産して廉価に提供でき、一般商店において商品購入者に対する景品やサービス品として提供可能である。また、カミソリ刃のようなカット刃２を使用することで刃物メーカーの受注が増えることになる。更に、理美容院で客にサービスとして使用することができる。
【図面の簡単な説明】
【００３６】
【図１】本発明ヘアーカッターの第１の実施形態を示す正面図である。
【図２】本発明ヘアーカッターの第１の実施形態を示す要部を正面から見た断面図である。
【図３】本発明ヘアーカッターの第１の実施形態を示すＡーＡ線断面図である。
【図４】本発明ヘアーカッターの第２の実施形態の一例を示す要部を正面から見た断面図である。
【図５】本発明ヘアーカッターの第２の実施形態の他の例を示す要部を正面から見た断面図である。
【図６】カッター刃の片側端面に連結棒を固定した状態の斜視図である。
【図７】本発明ヘアーカッターの第３の実施形態を示す要部を正面から見た断面図である。
【図８】毛の取り入れ溝の他の例を示すカバーの正面図である。
【図９】毛の取り入れ溝の他の例を示すカバーの正面図である。
【図１０】毛の取り入れ溝の他の例を示すカバーの正面図である。
【符号の説明】
【００３７】
１  カバー
２  カット刃
３  ホルダー
４  毛の取り入れ溝
５  カット刃の刃先
６  固定用ネジ
７  掛止部材
８  掛止突起
９  嵌合溝
１０  連結棒
１１  連結板
１２  嵌合孔
１３  連結片
【図１】
2005245749.tif 000003
【図２】
2005245749.tif 000004
【図３】
2005245749.tif 000005
【図４】
2005245749.tif 000006
【図５】
2005245749.tif 000007
【図６】
2005245749.tif 000008
【図７】
2005245749.tif 000009
【図８】
2005245749.tif 000010
【図９】
2005245749.tif 000011
【図１０】
2005245749.tif 000012